(57)【要約】  【課題】プラズマディスプレイパネルにおいて、誤放電防止、ジッタ特性の改善、駆動効率の向上を目的とする。  【解決手段】基板上に配置されて放電セルを形成する複数個の隔壁３１２と、放電セル内の領域で第１面積を持つスキャン電極３０２と、放電セル内の領域で第１面積より小さな第２面積を持つサステイン電極３０３と、を含むことを特徴とするプラズマディスプレイパネル。【選択図】図３
2007080810.tif 000002
【特許請求の範囲】
【請求項１】
基板上に配置されて放電セルを形成する複数個の隔壁と、
前記放電セル内の領域で第１面積を持つスキャン電極と、
前記放電セル内の領域で前記第１面積より小さな第２面積を持つサステイン電極と、
を含むことを特徴とするプラズマディスプレイパネル。
【請求項２】
前記スキャン電極は前記放電セル内の領域で第１幅を持って、前記サステイン電極は前記放電セル内の領域で前記第１幅より狭い第２幅を持つことを特徴とする、請求項１記載のプラズマディスプレイパネル。
【請求項３】
前記第１幅は前記第２幅に対して５％以上５０％以下さらに広いことを特徴とする、請求項２記載のプラズマディスプレイパネル。
【請求項４】
前記第１幅は前記第２幅に対して１０％以上３０％以下さらに広いことを特徴とする、請求項２記載のプラズマディスプレイパネル。
【請求項５】
前記第１幅及び前記第２幅は、前記スキャン電極及び前記サステイン電極の最大幅であることを特徴とする、請求項２記載のプラズマディスプレイパネル。
【請求項６】
前記スキャン電極はスキャン透明電極を含み、前記サステイン電極はサステイン透明電極を含み、
前記スキャン透明電極は前記第１幅を持って、前記サステイン透明電極は前記第２幅を持つことを特徴とする、請求項２記載のプラズマディスプレイパネル。
【請求項７】
前記複数個の隔壁は互いに異なる蛍光体が形成された放電セルを区切る第１隔壁を含み、
前記スキャン透明電極及び前記サステイン透明電極は、前記第１隔壁方向に突出していることを特徴とする、請求項６記載のプラズマディスプレイパネル。
【請求項８】
前記複数個の隔壁は等しい蛍光体が形成された放電セルを区切る第２隔壁を含み、
前記第２隔壁上に排気チャンネルが形成されることを特徴とする、請求項１記載のプラズマディスプレイパネル。
【請求項９】
前記複数個の隔壁は互いに異なる蛍光体が形成された放電セルを区切る第１隔壁を含み、
前記プラズマディスプレイパネルは前記スキャン電極及び前記サステイン電極と交差するように形成されるアドレス電極をさらに含み、
前記アドレス電極は前記スキャン電極と対応する領域で前記第１隔壁方向に突出していることを特徴とする、請求項２記載のプラズマディスプレイパネル。
【請求項１０】
前記スキャン電極は前記放電セル内の領域で前記第１面積を持つスキャンバス電極を含み、
前記サステイン電極は前記放電セル内の領域で前記第２面積を持つサステインバス電極を含み、
前記スキャンバス電極と前記サステインバス電極は放電ギャップを形成することを特徴とする、請求項１記載のプラズマディスプレイパネル。
【請求項１１】
前記スキャンバス電極の第１幅は前記サステインバス電極の第２幅より広いことを特徴とする、請求項１０記載のプラズマディスプレイパネル。
【請求項１２】
前記第１幅は前記第２幅に対して５％以上５０％以下さらに広いことを特徴とする、請求項１１記載のプラズマディスプレイパネル。
【請求項１３】
前記第１幅は前記第２幅に対して１０％以上３０％以下さらに広いことを特徴とする、請求項１１記載のプラズマディスプレイパネル。
【請求項１４】
前記複数個の隔壁は等しい蛍光体が形成された放電セルを区切る第２隔壁を含み、
前記第２隔壁上に排気チャンネルが形成されることを特徴とする、請求項１１記載のプラズマディスプレイパネル。
【請求項１５】
前記プラズマディスプレイパネルは、
前記スキャンバス電極に繋がれたスキャン透明電極、及び、前記スキャンバス電極と前記スキャン透明電極と交差するアドレス電極をさらに含み、
前記隔壁は互いに異なる蛍光体が形成された放電セルを区切る第１隔壁を含み、
前記アドレス電極は、前記スキャンバス電極と前記スキャン透明電極に対応する領域で前記第１隔壁方向に突出していることを特徴とする、請求項１１記載のプラズマディスプレイパネル。
【請求項１６】
基板上に配置されて放電セルを形成する複数個の隔壁と、
前記放電セル内の領域で第１面積を持つスキャンバス電極と第２面積を持つスキャン透明電極とを含むスキャン電極と、
前記放電セル内の領域で前記第１面積より小さな第３面積を持つサステインバス電極と前記第２面積より小さな第４面積を持つサステイン透明電極とを含むサステイン電極と、を含むプラズマディスプレイパネル。
【請求項１７】
前記複数個の隔壁は等しい蛍光体が形成された放電セルを区切る第２隔壁を含み、
前記第２隔壁上に排気チャンネルが形成されることを特徴とする、請求項１６記載のプラズマディスプレイパネル。
【請求項１８】
基板上に配置されて放電セルを形成する複数個の隔壁と、
前記放電セル内の領域に形成されたスキャンバス電極と、
前記放電セル内の領域で、前記スキャンバス電極と繋がれた第１部分スキャン電極と前記第１部分スキャン電極と垂直に繋がれた第２部分スキャン電極とを含むスキャン透明電極と、
前記放電セル内の領域に形成されたサステインバス電極と、
前記放電セル内の領域で、前記サステインバス電極と繋がれた第１部分サステイン電極と前記第１部分サステイン電極と垂直に繋がれた第２部分サステイン電極とを含むサステイン透明電極と、
備え、
前記第１部分スキャン電極の幅と前記第２部分スキャン電極の幅の合計の幅は、前記第１部分サステイン電極の幅と前記第２部分サステイン電極の幅の合計の幅より広いことを特徴とするプラズマディスプレイパネル。
【請求項１９】
前記複数個の隔壁は互いに異なる蛍光体が形成された放電セルを区切る第１隔壁を含み、
前記プラズマディスプレイパネルは前記スキャン透明電極と交差されるアドレス電極をさらに含み、
前記アドレス電極は、前記スキャン透明電極と対応する領域で、前記第１隔壁方向に突出していることを特徴とする、請求項１８記載のプラズマディスプレイパネル。
【請求項２０】
前記複数個の隔壁は等しい蛍光体が形成された放電セルを区切る第２隔壁を更に含み、
前記第２隔壁上に排気チャンネルが形成されることを特徴とする、請求項１８記載のプラズマディスプレイパネル。
【発明の詳細な説明】
【技術分野】
【０００１】
本発明はプラズマディスプレイパネルに関する。
【背景技術】
【０００２】
一般的なプラズマディスプレイパネルは前面パネルと背面パネルの間に形成されて放電セルを区切る隔壁を含み、複数個の放電セルが一つのピクセル（Ｐｉｘｅｌ）を形成する。 例えば赤色（Ｒｅｄ、Ｒ）セル、緑（Ｇｒｅｅｎ、Ｇ）セル、青色（Ｂｌｕｅ、Ｂ）セルが集まって一つのピクセルを形成する。
【０００３】
ネオン（Ｎｅ）、ヘリウム（Ｈｅ）または混合気体（Ｎｅ＋Ｈｅ）などのような主放電気体と少量のキセノン（Ｘｅ）を含む不活性ガスが各放電セル内に充填される。高周波電圧によって不活性ガスの放電が起きれば、真空紫外線（Ｖａｃｕｕｍ Ｕｌｔｒａ Ｖｉｏｌｅｔ−ｒａｙｓ）が放射される。真空紫外線は、放電セル内に形成された蛍光体を発光させることで画像が具現される。このようなプラズマディスプレイパネルは、薄く軽いので、次世代表示装置として注目されている。
【０００４】
図１は、従来プラズマディスプレイパネル上に形成された電極の配列構造を説明するための図である。
【０００５】
図１は、従来プラズマディスプレイパネル上に形成された電極配列を説明するためのものである。図１に示すように、従来プラズマディスプレイパネル１００は、互いに並んで形成されたスキャン電極（Ｙ１〜Ｙｎ）とサステイン電極（Ｚ１〜Ｚｎ）を含み、更に、スキャン電極（Ｙ１〜Ｙｎ）とサステイン電極（Ｚ１〜Ｚｎ）と交差されるアドレス電極（Ｘ１〜Ｘｍ）を含む。
【０００６】
放電セルは、スキャン電極（Ｙ１〜Ｙｎ）及びサステイン電極（Ｚ１〜Ｚｎ）とアドレス電極（Ｘ１〜Ｘｍ）が交差する地点すなわち、Ａ領域に形成される。これによって、放電セルはマトリックス形態に形成される。
【発明の開示】
【発明が解決しようとする課題】
【０００７】
従来プラズマディスプレイパネルに形成された電極構造では、プラズマディスプレイパネルの駆動の時、放電の開始時点が遅れて放電時間が増える問題点、すなわち、ジッタ特性の悪くなる問題点が発生する。ジッタ特性の悪化によって放電が遅延されると、次の放電も悪影響を受けるから誤放電が発生する。
【０００８】
図２は、従来プラズマディスプレイパネルの電極構造でアドレス放電の特性を示すものである。図１のスキャン電極とアドレス電極が表示放電が起きる放電セルを選択するためにアドレス期間でアドレス放電を遂行する。図２はこのようなアドレス放電を起こすために各放電セルに印加されるパルスによって現われる光波形を示すのである。連続されて起きる５００回のアドレス放電の光波形の持続した時間が現われている。すなわち、従来のプラズマディスプレイパネルの駆動の時、初めのアドレス放電のためのパルスが放電セルに印加され始める時点から順に放電セルごとにアドレス放電を起こして最後のアドレス放電が起きる時点までの時間は、おおよそ２．５ｕｓであり放電が遅延されることを分かる。このような放電遅延特性であるジッタ特性が現われることは多くの原因があり得る。例えば、電極の間における壁電荷量の差や、電極間の放電が弱く起こる問題や、目的とする電極の間の放電の不正確性などによって、ジッタ特性がさらに悪くなる。
本発明の目的は、誤放電を防止して放電の正確度を高めることができるプラズマディスプレイパネルを提供することにある。
【０００９】
本発明の他の目的は、ジッタ特性が改善したプラズマディスプレイパネルを提供することにある。
【００１０】
また、本発明の他の目的は、駆動効率を高めることができるプラズマディスプレイパネルを提供することにある。
【課題を解決するための手段】
【００１１】
本発明の実施形態によるプラズマディスプレイパネルは基板上に配置されて放電セルを形成する複数個の隔壁、 前記放電セル内の領域で第１面積を持つスキャン電極及び前記放電セル内の領域で前記第１面積より小さな第２面積を持つサステイン電極を含む。
【００１２】
本発明の実施形態によるプラズマディスプレイパネルは基板上に配置されて放電セルを形成する複数個の隔壁、前記放電セル内の領域で第１面積を持つスキャンバス電極と第２面積を持つスキャン透明電極を含むスキャン電極及び前記放電セル内の領域で前記第１面積より小さな第３面積を持つサステインバス電極と前記第２面積より小さな第４面積を持つサステイン透明電極を含むサステイン電極を含む。
【００１３】
本発明の実施形態によるプラズマディスプレイパネルは基板上に配置されて放電セルを形成する複数個の隔壁、前記放電セル内の領域に形成されたスキャンバス電極、前記放電セル内の領域で前記スキャンバス電極と繋がれた第１部分スキャン電極と前記第１部分スキャン電極と垂直で繋がれた第２部分スキャン電極を含むスキャン透明電極、 前記放電セル内の領域に形成されたサステインバス電極及び前記放電セル内の領域で前記サステインバス電極と繋がれた第１部分サステイン電極と前記第１部分サステイン電極と垂直で繋がれた第２部分サステイン電極を含むサステイン透明電極を含み、 前記第１部分スキャン電極の幅と前記第２部分スキャン電極の幅の合は前記第１部分サステイン電極の幅と前記第２部分サステイン電極の幅の合より広い。
【００１４】
前記スキャン電極は前記放電セル内の領域で第１幅を持って、前記サステイン電極は前記放電セル内の領域で前記第１幅より狭い第２幅を持つことができる。
【００１５】
前記第１幅は前記第２幅に対して５％以上５０％以下さらに広いことがある。
【００１６】
前記第１幅は前記第２幅に対して１０％以上３０％以下さらに広いことがある。
【００１７】
前記第１幅及び前記第２幅は前記スキャン電極及び前記サステイン電極の最大幅であることができる。
【００１８】
前記スキャン電極はスキャン透明電極を含み、前記サステイン電極はサステイン透明電極を含み、前記スキャン透明電極は前記第１幅を持って、前記サステイン透明電極は前記第２幅であることがある。
前記複数個の隔壁はお互いに異なる蛍光体が形成された放電セルを区切る第１隔壁を含み、前記スキャン透明電極及び前記サステイン透明電極は前記第１隔壁方向に突き出されることができる。
【００１９】
前記複数個の隔壁は等しい蛍光体が形成された放電セルを区切る第２隔壁を含み、前記第２隔壁上に排気チャンネルが形成されることができる。
【００２０】
前記複数個の隔壁はお互いに異なる蛍光体が形成された放電セルを区切る第１隔壁を含み、前記プラズマディスプレイパネルは前記スキャン電極及び前記サステイン電極と交差するように形成されるアドレス電極をさらに含み、前記アドレス電極は前記スキャン電極と対応する領域で前記第１隔壁方向に突き出されることができる。
【００２１】
前記スキャン電極は前記放電セル内の領域で前記第１面積を持つスキャンバス電極を含み、 前記サステイン電極は前記放電セル内の領域で前記第２面積を持つサステインバス電極を含み、前記スキャンバス電極と前記サステインバス電極は放電ギャップを形成することができる。
【００２２】
前記スキャンバス電極の第１幅は前記サステインバス電極の第２幅より広いことがある。
【００２３】
前記第１幅は前記第２幅に対して5%以上50%以下さらに広いことがある。
【００２４】
前記第１幅は前記第２幅に対して１０％以上３０％以下さらに広いことがある。
【００２５】
前記複数個の隔壁は等しい蛍光体が形成された放電セルを区切る第2隔壁を含み、前記第２隔壁上に排気チャンネルが形成されることができる。
【００２６】
前記プラズマディスプレイパネルは、前記スキャンバス電極に繋がれたスキャン透明電極及び、 前記スキャンバス電極と前記スキャン透明電極と交差するアドレス電極をさらに含み、前記隔壁はお互いに異なる蛍光体が形成された放電セルを区切る第１隔壁を含み、前記アドレス電極は前記スキャンバス電極と前記スキャン透明電極に対応する領域で前記第１隔壁方向に突き出されることができる。
【００２７】
本発明の実施形態によるプラズマディスプレイパネルは基板上に配置されて放電セルを形成する複数個の隔壁、 前記放電セル内の領域で第１面積を持つスキャンバス電極と第２面積を持つスキャン透明電極を含むスキャン電極及び前記放電セル内の領域で前記第１面積より小さな第３面積を持つサステインバス電極と前記第２面積より小さな第４面積を持つサステイン透明電極を含むサステイン電極を含む。
【００２８】
前記複数個の隔壁は等しい蛍光体が形成された放電セルを区切る第２隔壁を含み、前記第２隔壁上に排気チャンネルが形成されることができる。
【００２９】
本発明の実施形態によるプラズマディスプレイパネルは基板上に配置されて放電セルを形成する複数個の隔壁、前記放電セル内の領域に形成されたスキャンバス電極、前記放電セル内の領域で前記スキャンバス電極と繋がれた第１部分スキャン電極と前記第１部分スキャン電極と垂直で繋がれた第２部分スキャン電極を含むスキャン透明電極、前記放電セル内の領域に形成されたサステインバス電極及び前記放電セル内の領域で前記サステインバス電極と繋がれた第１部分サステイン電極と前記第１部分サステイン電極と垂直で繋がれた第２部分サステイン電極を含むサステイン透明電極を含み、 前記第１部分スキャン電極の幅と前記第２部分スキャン電極の幅の合は前記第１部分サステイン電極の幅と前記第２部分サステイン電極の幅の合より広い。
【００３０】
前記複数個の隔壁はお互いに異なる蛍光体が形成された放電セルを区切る第１隔壁を含み、前記プラズマディスプレイパネルは前記スキャン透明電極と交差されるアドレス電極をさらに含みと、前記アドレス電極は前記スキャン透明電極と対応する領域で前記第１隔壁方向に突き出されることができる。
【発明の効果】
【００３１】
本発明の実施形態によるプラズマディスプレイパネルは放電をより効果的に起こして放電の正確度を高めることができる効果がある。
【００３２】
本発明の実施形態によるプラズマディスプレイパネルはジッタ特性を改善させる効果がある。
【００３３】
本発明の実施形態によるプラズマディスプレイパネルはパネルの駆動効率を高めることができる効果がある。
本発明の実施形態によるプラズマディスプレイパネルは輝度を向上させることができる効果がある。
【発明を実施するための最良の形態】
【００３４】
以下では本発明による実施形態を添付された図面を参照してより詳しく説明する。
（１）第１実施形態
図３は本発明の実施形態によるプラズマディスプレイパネルを示すものである。 図３に示すように、本発明の実施形態によるプラズマディスプレイパネルは、画像がディスプレイされる前面基板３０１にスキャン電極３０２とサステイン電極３０３が配列された前面パネル３００と、背面基板３１１上にスキャン電極３０２及びサステイン電極３０３と交差されるアドレス電極３１３が配列された背面パネル３１０と、を含む。
【００３５】
スキャン電極３０２は、透明な ITO 物質で形成された透明電極３０２ａと、金属材質に形成されたバス電極(302b)とを含む。サステイン電極３０３も、透明な ITO 物質で形成された透明電極(303a )と、金属材質に形成されたバス電極(303b)を含む。
【００３６】
スキャン電極３０２及びサステイン電極３０３は、放電電流を制限して電極対の間を絶縁させてくれる一つ以上の上部誘電体層３０４によって覆われられ、上部誘電体層３０４ 上面には放電条件を容易にするために酸化マグネシウム（ＭｇＯ）を蒸着した保護層３０５が形成される。
【００３７】
背面パネル３１０は、背面基板３１１上に形成され、真空紫外線を発生させるためにアドレス放電を遂行するアドレス電極３１３を含む。アドレス電極３１３上には、アドレス電極３１３を保護するための下部誘電体層３１５が形成される。下部誘電体層３１５上には、放電セルを形成させるための複数個の隔壁３１２が形成される。 一つの隔壁と異なる一つの隔壁の間には画像を表示するために可視光線を放出する蛍光体３１４が塗布される。複数個の隔壁３１２は、互いに異なる蛍光体が形成された放電セルを区分する第１隔壁３１２ａと、互いに等しい蛍光体が形成された放電セルを区分する第２隔壁３１２ｂを含む。ここでは、互いに異なる蛍光体は、互いに異なる色のＲ，Ｇ，Ｂの何れかの蛍光体を意味し、互いに等しい蛍光体は同色の蛍光体を意味する。
【００３８】
本発明の実施形態によるプラズマディスプレイパネルのスキャン電極３０２は、放電セル内の領域で第１面積を持って、サステイン電極３０３は放電セル内の領域で第１面積より小さな第２面積を持つ。これに対する詳しい説明は図６以下で後述する。
【００３９】
図３では、本発明の実施形態によるプラズマディスプレイパネル構造の一例のみを図示して説明したが、本発明が図３の電極構造に限定されるのではない。また、スキャン電極３０２とサステイン電極３０３の内の一つ以上はバス電極だけで構成することもできる。
【００４０】
本発明の実施形態によるプラズマディスプレイパネルで画像の階調が表現される方法を注意深くみれば、次の図４のようである。
【００４１】
図４は、本発明の実施形態によるプラズマディスプレイパネルの画像階調を具現する方法を示すものである。図４に示すように、本実施形態のプラズマディスプレイ装置の画像階調（Ｇｒａｙ Ｌｅｖｅｌ）表現方法は、一フレームを発光回数が所定の値にそれぞれ設定された複数のサブフィールドに分けて、各サブフィールドは、また、すべてのセルを初期化させるためのリセット期間（ＲＰＤ）、放電するセルを選択するためのアドレス期間（ＡＰＤ）及び放電回数によって階調を具現するサステイン期間（ＳＰＤ）に分けられる。例えば、２５６階調で画像を表示しようとする場合には、１／６０秒にあたるフレーム期間(１６．６７ｍｓ)は、図３のように８個のサブフィールド(ＳＦ１ないしＳＦ８)に分けられて、８個のサブフィールド（ＳＦ１ないしＳＦ８）それぞれは、リセット期間、アドレス期間及びサステイン期間に更に分けられるようになる。
【００４２】
各サブフィールドのリセット期間及びアドレス期間の長さは、各サブフィールドごとに等しい。 放電するセルを選択するためのアドレス放電は、アドレス電極とスキャン電極である透明電極の間の電圧の差によって起きる。サステイン期間の長さは、各サブフィールドで２ｎ(ただ、ｎ ＝ ０、１、２、３、４、５、６、７)の割合で増加される。このように各サブフィールドでサステイン期間が変わるようになるので、各サブフィールドのサステイン期間すなわち、サステイン放電回数を調節して画像の階調を表現するようになる。
【００４３】
ここで、図４では、一つのフレームが８個のサブフィールドになる場合だけで図示して説明したが、これとは異なり、一つのフレームを成すサブフィールドの個数は多様に変更されることができる。例えば、第１サブフィールドから第１２サブフィールドまでの１２個のサブフィールドで一つのフレームを構成することもできて、１０個のサブフィールドで一つのフレームを構成することもできるのである。
【００４４】
また、ここで、図４では、一つのフレームで階調加重値の大きさが増加する順番によってサブフィールドが配列されたが、これとは異なり、一つのフレームでサブフィールドが階調加重値が減少する順番によって配列されることもでき、または、階調加重値にかかわらずサブフィールドが配列されることもできる。
【００４５】
このような方法で映像の階調を具現するようになる本発明のプラズマディスプレイパネルの駆動方法による駆動波形を注意深くみれば、次の図５のようである。
【００４６】
図５は本発明の実施形態によるプラズマディスプレイパネルの駆動方法による駆動波形を示すものである。図５に示すように、プラズマディスプレイ装置は、すべてのセルを初期化させるためのリセット期間、放電するセルを選択するためのアドレス期間、選択されたセルの放電を維持させるためのサステイン期間に分けられて駆動される。また、必要によって放電したセル内の壁電荷を消去するための消去期間が追加されて駆動されることができる。
【００４７】
リセット期間において、セットアップ期間には、すべてのスキャン電極に上昇ランプ波形（Ｒａｍｐ−ｕｐ）が同時に印加される。この上昇ランプ波形によって全画面の放電セル内には弱い暗放電（Ｄａｒｋ Ｄｉｓｃｈａｒｇｅ）が起きる。このセットアップ放電によってアドレス電極とサステイン電極上には正極性壁電荷が積もるようになって、スキャン電極上には負極性の壁電荷が積もるようになる。
【００４８】
セッダウン期間には、上昇ランプ波形が供給された後、上昇ランプ波形のピーク電圧より低い正極性電圧から落ち始めて、グランド（ＧＮＤ）電圧レベル又はグラウンド（ＧＮＤ）レベル電圧以下の特定電圧レベルまで落ちる下降ランプ波形（Ｒａｍｐ−ｄｏｗｎ）がセル内に微弱な消去放電を起こすことで、スキャン電極に過度に形成された壁電荷を充分に消去させるようになる。このセッダウン放電によって、アドレス放電が安定するように起きることができるほどの壁電荷がセル内に均一に残留される。
【００４９】
アドレス期間には、負極性スキャンパルス（ピーク電圧＝−Ｖｙ）がスキャン電極に順に印加されることと同時に、スキャンパルスに同期されてアドレス電極に正極性のデータパルス（ピーク電圧＝Ｖｄ）が印加される。このスキャンパルスとデータパルスの電圧差と、リセット期間に生成された壁電圧とが加わりながら、データパルスが印加される放電セル内にはアドレス放電が発生される。アドレス放電によって選択されたセル内には、サステイン電圧（Ｖｓ）が印加される時に放電が起きることができるようにする位の壁電荷が形成される。サステイン電極には、アドレス期間の間、又は、セッダウン期間からアドレス期間に亘って、スキャン電極との電圧の差を減らしてスキャン電極との誤放電が起きないように正極性電圧（Ｖｚ）が供給される。
【００５０】
サステイン期間には、スキャン電極とサステイン電極に交互にサステインパルス（Ｓｕｓ）が印加される。アドレス放電によって選択されたセルは、セル内の壁電圧とサステインパルスとが加わりながら、毎サステインパルスが印加される時度にスキャン電極とサステイン電極との間のサステイン放電すなわち、表示放電が起きるようになる。
【００５１】
サステイン放電が完了した後、放電したセル内の壁電荷を消去するための消去期間が追加されて駆動される場合、消去期間ではパルス幅または電圧レベルが小さな消去ランプ波形（Ｒａｍｐ−ｅｒｓ）の電圧がサステイン電極に供給されて、全画面のセル内に居残る壁電荷を消去させるようになる。
【００５２】
このように多くの放電の重要な要素と作用する本発明の実施形態によるプラズマディスプレイパネルの電極構造を図６以下で詳しく説明する。
【００５３】
図６は、本発明のプラズマディスプレイパネルの電極構造の第１実施形態を示すものである。図６に示すように、本発明の第１実施形態によるプラズマディスプレイパネルは放電セルで発光を維持するためのスキャン電極３０２及びサステイン電極３０３を含む。
【００５４】
スキャン電極３０２は、透明な導電物質で形成されたスキャン透明電極３０２ａと、金属材質で製作されたスキャンバス電極３０２ｂとを含む。 サステイン電極３０３は、透明な導電物質で形成されたサステイン透明電極３０３ａと、金属材質で製作されたサステインバス電極３０２ｂとを含む。
【００５５】
本発明の第１実施形態によるプラズマディスプレイパネルは、スキャン電極３０２またはサステイン電極３０３と交差されるアドレス電極３１３を含む。スキャン電極３０２またはサステイン電極３０３とアドレス電極３１３が交差される領域に放電セルが形成される。
【００５６】
図６では、一つの放電セルに対応する電極構造を詳細に示した。 放電セル内の領域でスキャン透明電極３０２ａのアドレス電極３１３の長手方向での第１幅（Ｗ１）は、サステイン透明電極３０３ａのアドレス電極３１３の長手方向での第２幅（Ｗ２）より広い。
【００５７】
第１幅（Ｗ１）は、第２幅（Ｗ２）に対して５％以上５０％以下程度さらに広く形成することができる。言い換えれば、第１幅と第２幅との差（Ｗ１−Ｗ２）は、第２幅（Ｗ２）の略５％以上略５０％以下とすることが可能である。より具体的には、スキャン透明電極３０２ａのアドレス電極３１３の長手方向での幅（Ｗ１）は、サステイン透明電極３０３のアドレス電極３１３の長手方向での幅（Ｗ２）に対して、１０％以上３０％以下でさらに広く形成することが好ましい。
【００５８】
また、電極の幅が一定ではない場合、第１幅（Ｗ１）及び第２幅（Ｗ２）はスキャン透明電極３０２ａ及びサステイン透明電極３０３ａの最大突出部位までの幅で定義することができる。
【００５９】
また、スキャンバス電極３０２ｂの幅（Ｗ５）は、サステインバス電極３０３ｂの幅（Ｗ６）よりも大きくても、等しくても良い。
【００６０】
スキャン透明電極３０２ａの幅をサステイン透明電極３０３ａの幅より大きく形成する理由は、放電特性を向上させるためである。すなわち、アドレス放電は、スキャン電極３０２とアドレス電極３１３に印加された電圧によって起きるので、スキャン透明電極３０２ａの幅がサステイン透明電極３０３ａの幅より大きければ、スキャン透明電極３０２ａとアドレス電極３１３の間の重なる面積が増加するので放電遅延特性であるジッタ特性が改善する。
【００６１】
また、すべての放電セルを初期化させるリセット期間に起きるリセット放電では、スキャン電極３０２により多くの壁電荷が積もるので、アドレス期間のアドレス放電がより発生し易い。これによってジッタ特性が改善する。
【００６２】
図７は、本発明の第１実施形態によって電極幅が調節される時、ジッタ特性の変化を示すのである。 図７は本発明の第１実施形態によってスキャン電極の幅がサステイン電極の幅に比べて５％以上５０％以下位だけ更に広い場合、ジッタ特性が改善することを現わす。
【００６３】
スキャン電極の幅がサステイン電極の幅に比べて５％未満の場合には、ジッタ特性の改善程度が微々たるものであり、一方、スキャン電極の幅がサステイン電極の幅に比べて５０％ 超過の場合にはジッタ特性の改善程度は明らかであるが、スキャン電極とサステインの間の非対称が大きくなって、サステイン放電が均一に起きないので駆動特性が悪くなる。
【００６４】
このような結果によって、スキャン透明電極３０２ａのアドレス電極３１３の長手方向での幅（Ｗ１）がサステイン透明電極３０３ａのアドレス電極３１３の長手方向での幅（Ｗ２）に対して１０％以上３０％以下だけさらに広くなることが好ましい。
【００６５】
また、スキャン透明電極３０２ａとサステイン透明電極３０３ａの間の離隔距離（Ｗ３）は６０μｍ以上である。スキャン電極３０２とサステイン電極３０３の間で安定的なサステイン放電が起きるように離隔距離（Ｗ３）が要求される。
【００６６】
また、放電条件に重要な要素である放電セルの大きさが調節されることができる。放電セルのアドレス電極３１３の長手方向での幅すなわち、図６で第２隔壁３１２ｂを除いた放電セルの内部幅（Ｗ４）は、調節して６００μｍ以上に形成させることができる。
【００６７】
また、放電セルを区切る隔壁上に、図８ａ及び図８ｂに示すように、排気チャンネルＨが形成されることができる。
【００６８】
図８（ａ）及び図８（ｂ）は、本発明の実施形態によるプラズマディスプレイパネルの隔壁構造を示すものである。図８（ａ）は、Ｒ，Ｇ，Ｂの放電セルからなる１ピクセルの平面図である。図８（ｂ）は、Ｂの放電セルをＲ，Ｇ，Ｂが並ぶ方向に沿って切断した断面図である。
【００６９】
図８（ａ）に示すように、Ｒｅｄ放電セル７１０、Ｇｒｅｅｎ放電セル７２０及びＢｌｕｅ放電セル７３０が集まって、一つのピクセル（ｐｉｘｅｌ）７００が形成される。放電セル（７１０、７２０、７３０）は、複数個の隔壁３１２によって区画される。等しい蛍光体が形成された放電セルを区切る第２隔壁３１２ｂには、図８（ｂ）に示すように、溝で成り立った排気チャンネル（Ｈ）が形成されることができる。図８（ｂ）では、Ｂの放電セルを区画する第２隔壁３１２ｂに形成した排気チャンネルＨのみ図示しているが、他の第２隔壁３１２ｂにも同様の排気チャンネルＨを形成することができる。
【００７０】
排気チャンネルＨは、プラズマディスプレイパネルの排気特性を向上させる。また、排気チャンネル（Ｈ）は、第２隔壁３１２ｂによって形成されるキャパシタンス（ｃａｐａｃｉｔａｎｃｅ）を減らす。すなわち、排気チャンネル（Ｈ）は溝で成り立っているので、第２隔壁３１２ｂによって形成されるキャパシタンスが減る。これによってプラズマディスプレイパネルの駆動電圧が低くなって、駆動効率が向上する。
（２）第２実施形態
図９は、本発明の第２実施形態によるプラズマディスプレイパネルの電極構造を示すものである。図９に示すように、本発明の第２実施形態によるプラズマディスプレイパネルは、放電セルの発光を維持するためのスキャン電極３０２及びサステイン電極３０３を含む。すなわち、スキャン電極３０２は、透明な物質で形成されたスキャン透明電極３０２ａと、金属材質からなるスキャンバス電極３０２ｂとを含む。サステイン電極３０３も、また、透明な物質からなるサステイン透明電極３０３ａと、金属材質からなるサステインバス電極３０３ｂとを含む。
【００７１】
図９では、スキャン透明電極３０２ａ及びサステインバス電極３０３ａが図示されたが、本発明の第２実施形態は、スキャン透明電極３０２ａ及びサステイン透明電極３０３ａなしにスキャンバス電極３０２ｂ及びサステインバス電極３０３ｂだけでも実施可能である。この場合、スキャンバス電極３０２ｂとサステインバス電極３０３ｂとが放電ギャップを形成する。
【００７２】
また、本発明の第２実施形態によるプラズマディスプレイパネルは、スキャン電極３０２及びサステイン電極３０３と交差されるアドレス電極３１３を含む。スキャン電極３０２及びサステイン電極３０３とアドレス電極３１３が交差される位置には放電セルが形成される。
【００７３】
図９では、放電セル内の領域で、スキャンバス電極３０２ｂのアドレス電極３１３の長手方向での第１幅Ｗ５はサステインバス電極３０３ｂのアドレス電極３１３の長手方向での第２幅Ｗ６より広い。
【００７４】
すなわち、一例で第１幅Ｗ５は第２幅Ｗ６に対して５％以上５０％以下程度だけさらに広く形成することができる。言い換えれば、第１幅と第２幅との差（Ｗ５−Ｗ６）は、第２幅（Ｗ６）の略５％以上略５０％以下とすることが可能である。スキャンバス電極３０２ｂのアドレス電極３１３の長手方向での第１幅Ｗ５は、サステインバス電極３０３のアドレス電極３１３の長手方向での第２幅Ｗ６に対して１０％以上３０％以下だけさらに広く形成されることができる。
【００７５】
スキャンバス電極３０２ｂの幅がサステインバス電極３０３ｂの幅より広い理由は放電遅延を防止してジッタ特性を改善するためのことである。すなわち、図７で説明したように、スキャンバス電極３０２ｂの幅がサステインバス電極３０３ｂの幅に比べて ５％未満位大きい場合ジッタ特性の改善程度が微々たるものであり、スキャンバス電極３０２ｂの幅がサステインバス電極３０３ｂの幅に比べて５０％程度を超過して大きい場合、ジッタ特性は改善するが、スキャンバス電極３０２ｂとサステインバス電極３０２ａの間の非対称が大きくなって、サステイン放電が均一に起きない。
【００７６】
また、スキャンバス電極３０２ｂのアドレス電極３１３の長手方向での幅（Ｗ５）とサステインバス電極３０３ｂのアドレス電極３１３の長手方向での幅（Ｗ６）は、最小５０μｍ以上に形成することで、プラズマディスプレイパネルの駆動マージンが確保される。
【００７７】
また、スキャン透明電極３０２ａの幅Ｗ１は、サステイン透明電極３０３ａの幅Ｗ２よりも大きくても、等しくても良い。
【００７８】
また、 スキャン電極３０２とサステイン電極３０３との間での安定的なサステインと放電効率の上昇のために、スキャンバス電極３０２ｂとサステインバス電極３０３ｂの間の離隔距離（Ｗ７）は２００μｍ以上である。
【００７９】
また、放電空間の縮小による輝度に対する消費電力の減少、及び、プラズマディスプレイパネルの駆動効率のために、第２隔壁３１２ｂを除いた放電セルの内部幅（Ｗ４）は６００μｍ以上にすることができる。
【００８０】
また、放電セルを区切る隔壁に排気チャンネルが形成されることができるが、排気チャンネルに対する説明は図８を参照して説明したので省略する。
（３）第３実施形態
図１０は、本発明の第３実施形態によるプラズマディスプレイパネルの電極構造を示すものである。図１０に示すように、スキャン透明電極３０２ａのアドレス電極３１３の長手方向での幅（Ｗ１）が、サステイン透明電極３０３ａのアドレス電極の長手方向での幅（Ｗ２）より広く、スキャンバス電極３０２ｂのアドレス電極３１３の長手方向での幅（Ｗ５）が、サステインバス電極３０３ｂのアドレス電極３１３の長手方向での幅（Ｗ６）より広い。スキャン透明電極３０２ａとサステイン透明電極３０３ａに対する説明と、スキャンバス電極３０２ｂとサステインバス電極３０３ｂに対する説明とは、前に説明したので詳しい説明は省略する。
【００８１】
このように本発明のプラズマディスプレイパネルは、電極の幅を調節してジッタ特性を改善させるが、このような本発明の効果を以下図面を参照してより詳細に説明する。
【００８２】
図１１は、本発明の実施形態によるプラズマディスプレイパネルで発生するアドレス放電の特性を示すものである。すなわち、図１１は、連続されて起きる５００回のアドレス放電の光波形が持続した時間を現わす。図１１に示すのように、初めのアドレス放電のためのパルスが放電セルに印加される時点から最後のアドレス放電が起きる時点までの時間は、おおよそ１．３μｓである。
【００８３】
本発明の実施形態によるプラズマディスプレイパネルで発生するアドレス放電の時間(おおよそ１．３μｓ)は、図２の従来のプラズマディスプレイパネルで発生するアドレス放電の時間(おおよそ２．５μｓ)より小さい。本発明の実施形態によるプラズマディスプレイパネルの電極構造でジッタ特性が改善する。また、アドレス放電が正確に起きるので、スキャン電極３０２とサステイン電極３０３が起こすサステイン放電も正確に起きる。また、 本発明の実施形態によるプラズマディスプレイパネルは、より正確なアドレス放電及びサステイン放電を通じて品質高い画像を表示することができる。
【００８４】
また、 スキャンバス電極またはスキャン透明電極の幅が、サステインバス電極またはサステイン透明電極の幅より5%以上50% 以下だけ大きい場合、ジッタ特性を改善させながらも放電電圧特性をそのまま安定化させることができる。
【００８５】
図１２は、本発明の実施形態によるプラズマディスプレイパネルの電極構造の放電電圧特性と、従来のプラズマディスプレイパネルの放電電圧特性を比べたものである。図１２に示すのように、本発明の実施形態によるプラズマディスプレイパネルの電極構造で放電開始電圧（Ｖ＿ｆｉｒｉｎｇ＿ｍａｘ、Ｖ＿ｆｉｒｉｎｇ＿ｍｉｎ） 特性と、サステイン放電の時のサステイン電圧レベル（Ｖ＿ｓｕｓｔａｉｎ＿ｍａｘ、Ｖ＿ｓｕｓｔａｉｎ＿ｍｉｎ） 特性が、従来のプラズマディスプレイパネルの電極構造での放電開始電圧特性とサステイン電圧レベル特性とほぼ等しい。
【００８６】
また、スキャンバス電極またはスキャン透明電極の幅が、サステインバス電極またはサステイン透明電極の幅より５％以上５０％以下だけ大きい場合、ジッタ特性を改善させながらも放電電流特性をそのまま安定化させることができる。
【００８７】
図１３（ａ）は、従来の電極構造（Ｃｏｎｖｅｎｔｉｏｎａｌ ｅｌｅｃｔｒｏｄｅ）でサステイン電圧（Ａｐｐｌｉｅｄ ｖｏｌｔａｇｅ）による放電電流特性（Ｄｉｓｃｈａｒｇｅ ｃｕｒｒｅｎｔ）を現わしたものである。図１３（ｂ）は、本発明の電極構造でサステイン電圧（Ａｐｐｌｉｅｄ ｖｏｌｔａｇｅ）による放電電流特性（Ｄｉｓｃｈａｒｇｅ ｃｕｒｒｅｎｔ）を示すものである。
【００８８】
おおよそ２００Ｖのサステイン電圧がスキャン電極とサステイン電極に交互に印加されてサステイン放電が起きる時、図１３（ｂ）の本発明の実施形態によるプラズマディスプレイパネルの電極構造で現われる放電電流（Ｄｉｓｃｈａｒｇｅ ｃｕｒｒｅｎｔ）の波形と、図１３（ａ）の従来の電極構造で現われる放電電流（Ｄｉｓｃｈａｒｇｅ ｃｕｒｒｅｎｔ）の波形はほぼ等しい。
（４）第４実施形態
図１４は、本発明の第４実施形態によるプラズマディスプレイパネルの電極構造を示すものである。 本発明の第４実施形態によるプラズマディスプレイパネルは、セルの発光を維持するためのスキャン電極３０２及びサステイン電極３０３を含む。スキャン電極３０２はスキャン透明電極３０２ａとスキャンバス電極３０２ｂとを含み、サステイン電極はサステイン透明電極３０３ａとサステインバス電極３０３ｂとを含む。
【００８９】
図１４に示すように、放電セルに対応される領域で、スキャン透明電極３０２ａのアドレス電極３１３の長手方向での第１幅（Ｗ１）は、サステイン透明電極３０３ａのアドレス電極３１３の長手方向での第２幅（Ｗ２）より広い。なお、スキャン透明電極３０２ａの第１幅（Ｗ１）をサステイン透明電極３０３ａの第２幅（Ｗ２）よりも広くする程度は、第１実施形態と同様である。
【００９０】
スキャンバス電極３０２ｂの幅（Ｗ５）は、サステインバス電極３０３ｂの幅（Ｗ６）よりも大きくても、等しくても良い。
【００９１】
また、アドレス電極３１３はスキャン透明電極３０２ａに対応する領域で、両側において第１隔壁３１２ａの方に向かって突出して形成されている。
【００９２】
これにより、アドレス電極３０３とスキャン透明電極３０２ａの重なる面積が増加する。なお、アドレス電極３１３は、スキャン透明電極３０２ａ及びスキャンバス電極３０２ｂに対応する領域で、両側において第１隔壁３１２ａの方に向かって突出して形成されても良い。また、アドレス電極３１３は、スキャンバス電極３０２ｂに対応する領域で、両側において第１隔壁３１２ａの方に向かって突出して形成されても良い。
【００９３】
スキャン透明電極３０２ａの面積がサステイン透明電極３０３ａの面積より大きく、スキャン透明電極３０２ａとアドレス電極３１３ の間の重なる面積が増加すれば、壁電荷が形成されることができる空間がより広く確保されるので、アドレス放電がより効果的に起きてジッタ特性が改善する。
（５）第５実施形態
図１５は、本発明の第５実施形態によるプラズマディスプレイパネルの電極構造を示すものである。図１５に示すように、放電セル内の領域で、スキャン透明電極３０２ａのアドレス電極３０３の長手方向での幅（Ｗ１）は、サステイン透明電極３０３ａの幅（Ｗ２）と等しく、かつ、スキャンバス電極３０２のアドレス電極（３１３、Ｘ）の長手方向での幅（Ｗ５）は、サステインバス電極３０３のアドレス電極３１３の長手方向での幅（Ｗ６）より広い。なお、スキャンバス電極３０２の幅（Ｗ５）をサステインバス電極３０３の幅（Ｗ６）よりも広くする程度は、第２実施形態と同様である。
【００９４】
またアドレス電極３１３は、スキャン透明電極３０２ａに対応する領域で、両側において第１隔壁３１２ａの方に向かって突出して形成されている。なお、アドレス電極３１３は、スキャン透明電極３０２ａ及びスキャンバス電極３０２ｂに対応する領域で、両側において第１隔壁３１２ａの方に向かって突出して形成されても良い。また、アドレス電極３１３は、スキャンバス電極３０２ｂに対応する領域で、両側において第１隔壁３１２ａの方に向かって突出して形成されても良い。
【００９５】
スキャンバス電極３０２ｂの面積がサステインバス電極３０３ｂの面積より大きく、スキャン透明電極３０２ａとアドレス電極３１３の間の重なる面積が増加すれば、壁電荷が形成されることができる空間がより広く確保されるので、アドレス放電がより効果的に起きてジッタ特性が改善する。
（６）第６実施形態
図１６は、本発明の第６実施形態によるプラズマディスプレイパネルの電極構造を示すのである。図１６に示すように、放電セル内の領域でスキャン透明電極３０２ａのアドレス電極３０３の長手方向での幅（Ｗ１）は、サステイン透明電極３０３ａの幅（Ｗ２）より広く、かつ、スキャンバス電極３０２のアドレス電極（３１３、Ｘ）の長手方向での幅（Ｗ５）は、サステインバス電極３０３のアドレス電極３１３の長手方向での幅（Ｗ６）より広い。スキャン透明電極３０２ａの幅（Ｗ１）をサステイン透明電極３０３ａの幅（Ｗ２）よりも広くする程度、及び、スキャンバス電極３０２の幅（Ｗ５）をサステインバス電極３０３の幅（Ｗ６）よりも広くする程度は、第３実施形態と同様である。
【００９６】
また、アドレス電極３１３はスキャン透明電極３０２ａに対応する領域で、両側において第１隔壁３１２ａの方に向かって突出して形成されている。なお、アドレス電極３１３は、スキャン透明電極３０２ａ及びスキャンバス電極３０２ｂに対応する領域で、両側において第１隔壁３１２ａの方に向かって突出して形成されても良い。また、アドレス電極３１３は、スキャンバス電極３０２ｂに対応する領域で、両側において第１隔壁３１２ａの方に向かって突出して形成されても良い。
【００９７】
スキャン透明電極３０２ａ及びスキャンバス電極３０２ｂの面積がサステイン透明電極３０３ａ及びサステインバス電極３０３ｂの面積より大きく、スキャン透明電極３０２ａとアドレス電極３１３ の間の重なる面積が増加すれば、壁電荷が形成されることができる空間がより広く確保されるので、アドレス放電がより効果的に起きてジッタ特性が改善する。
【００９８】
また、図１４乃至図１６の第２隔壁３１２ｂに、図８で説明した排気チャンネルＨが形成されることができる。第２隔壁３１２ｂ上に排気チャンネルＨが形成される場合、プラズマディスプレイパネルの排気特性が向上する。また、排気チャンネルは第２隔壁３１２ｂによって形成されるキャパシタンス（ｃａｐａｃｉｔａｎｃｅ）を減少させて、プラズマディスプレイパネルの駆動電圧を減少させて駆動効率を向上させる。
（７）第７実施形態
図１７は、本発明の第７実施形態によるプラズマディスプレイパネルの電極構造を示すものである。図１７に示すように、スキャンバス電極３０２ｂの幅（Ｗ５）は、サステインバス電極３０３ｂの幅（Ｗ６）と同じである。スキャン透明電極３０２ａは、放電セル内の領域で、スキャンバス電極３０２ｂと繋がれた第１部分スキャン電極（３０２ａ−１）と、第1部分スキャン電極（３０２ａ−１）と垂直に繋がれた第２部分スキャン電極（３０２ａ−２）と、を含む。サステイン透明電極３０３ａは、放電セル内の領域で、サステインバス電極３０３ｂと繋がれた第１部分サステイン電極（３０３ａ−１)と、第１部分サステイン電極（３０３ａ−１）と垂直に繋がれた第２部分サステイン電極（３０３ａ−２）と、を含む。
【００９９】
第１部分スキャン電極（３０２ａ−１）の幅と第２部分スキャン電極（３０２ａ−２）の幅の合計の幅（Ｗ１）は、第１部分サステイン電極（３０３ａ−１）の幅と第２部分サステイン電極（３０３ａ−１）の幅の合計の幅（Ｗ２）より広い。
【０１００】
スキャン透明電極３０２ａの面積がサステイン透明電極３０３ａの面積より大きいので壁電荷が形成されることができる空間がより確保される。これにより、アドレス放電がより効果的に起きてジッタ特性が改善する。
【０１０１】
また、図１７の第２隔壁３１２ｂに、図８で説明した排気チャンネルＨが形成されることができる。第２隔壁３１２ｂ上に排気チャンネルＨが形成される場合、プラズマディスプレイパネルの排気特性が向上する。また、排気チャンネルＨは、第２隔壁３１２ｂによって形成されるキャパシタンス（ｃａｐａｃｉｔａｎｃｅ）を減少させて、プラズマディスプレイパネルの駆動電圧を減少させて駆動効率を向上させる。
（８）第８実施形態
図１８は、本発明の第８実施形態によるプラズマディスプレイパネルの電極構造を示すものである。図１８に示すように、スキャン透明電極３０２ａは、放電セル内の領域で、スキャンバス電極３０２ｂと繋がれた第１部分スキャン電極（３０２ａ−１）と、第１部分スキャン電極（３０２ａ−１）と垂直に繋がれた第２部分スキャン電極（３０２ａ−２）と、を含む。サステイン透明電極３０３ａは、放電セル内の領域で、サステインバス電極３０３ｂと繋がれた第１部分サステイン電極（３０３ａ−１）と、第１部分サステイン電極（３０３ａ−１）と垂直に繋がれた第２部分サステイン電極（３０３ａ−２）と、を含む。
【０１０２】
第１部分スキャン電極（３０２ａ−１）の幅と第２部分スキャン電極（３０２ａ−２）の幅の合計の幅（Ｗ１）は、第1部分サステイン電極（３０３ａ−１）の幅と第２部分サステイン電極（３０３ａ−１）の幅の合計の幅ｂ（Ｗ２）と等しい。また、スキャンバス電極３０２ｂの幅（Ｗ５）は、サステインバス電極３０３ｂの幅（Ｗ６）より大きい。
【０１０３】
スキャン透明電極３０２ａの面積がサステイン透明電極３０３ａの面積より大きいので壁電荷が形成されることができる空間が確保される。 これにより、アドレス放電がより効果的に起きてジッタ特性が改善する。
（９）第９実施形態
図１９は、本発明の第９実施形態によるプラズマディスプレイパネルの電極構造を示すものである。図１９に示すように、スキャン透明電極３０２ａは、放電セル内の領域で、スキャンバス電極３０２ｂと繋がれた第１部分スキャン電極（３０２ａ−１）と、第１部分スキャン電極（３０２ａ−１）と垂直に繋がれた第２部分スキャン電極（３０２ａ−２）と、を含む。サステイン透明電極３０３ａは、放電セル内の領域で、サステインバス電極３０３ｂと繋がれた第１部分サステイン電極（３０３ａ−１）と、第１部分サステイン電極（３０３ａ−１）と垂直で繋がれた第２部分サステイン電極（３０３ａ−２）と、を含む。
【０１０４】
第１部分スキャン電極（３０２ａ−１）の幅と第２部分スキャン電極（３０２ａ−２）の幅の合計の幅（Ｗ１）は、第１部分サステイン電極（３０３ａ−１）の幅と第２部分サステイン電極（３０３ａ−１）の幅の合計の幅（Ｗ２）より大きく、スキャンバス電極３０２ｂの幅（Ｗ５）は、サステインバス電極３０３ｂの幅（Ｗ６）より大きい。
【０１０５】
スキャン透明電極３０２ａの面積がサステイン透明電極３０３ａの面積より大きいので壁電荷が形成されることができる空間がより広く確保される。これにより、アドレス放電がより効果的に起きてジッタ特性が改善する。
（１０）第１０実施形態
図２０は、本発明の第１０実施形態によるプラズマディスプレイパネルの電極構造を示すものである。図２０に示すように、スキャンバス電極３０２ｂの幅（Ｗ５）は、サステインバス電極３０３ｂの幅（Ｗ６）と同じである。スキャン透明電極３０２ａは、放電セル内の領域で、スキャンバス電極３０２ｂと繋がれた第１部分スキャン電極（３０２ａ−１）と、第１部分スキャン電極（３０２ａ−１）と垂直に繋がれた第２部分スキャン電極（３０２ａ−２）と、を含む。サステイン透明電極３０３ａは、放電セル内の領域で、サステインバス電極３０３ｂと繋がれた第１部分サステイン電極（３０３ａ−１）と、第１部分サステイン電極（３０３ａ−１）と垂直に繋がれた第２部分サステイン電極（３０３ａ−２）と、を含む。
【０１０６】
第１部分スキャン電極（３０２ａ−１）の幅と第２部分スキャン電極（３０２ａ−２）の幅の合計の幅（Ｗ１）は、第１部分サステイン電極（３０３ａ−１）の幅と第２部分サステイン電極（３０３ａ−１）の幅の合計の幅（Ｗ２）より広い。
【０１０７】
また、スキャン透明電極３０２ａに対応する領域でアドレス電極３１３は、両側において第１隔壁３１２ａの方に向かって突出して形成されている。なお、アドレス電極３１３は、スキャン透明電極３０２ａ及びスキャンバス電極３０２ｂに対応する領域で、両側において第１隔壁３１２ａの方に向かって突出して形成されても良い。また、アドレス電極３１３は、スキャンバス電極３０２ｂに対応する領域で、両側において第１隔壁３１２ａの方に向かって突出して形成されても良い。
【０１０８】
これによってスキャン透明電極３０２ａの面積がサステイン透明電極３０３ａの面積より大きく、スキャン透明電極３０２ａとアドレス電極３１３が重なる面積が増加するので、壁電荷が形成されることができる空間がより広く確保される。これにより、アドレス放電がより効果的に起きてジッタ特性が改善する。
【図面の簡単な説明】
【０１０９】
【図１】従来プラズマディスプレイパネル上に形成された電極配列を説明するための図。
【図２】従来プラズマディスプレイパネルの電極構造でアドレス放電の特性を示す図。
【図３】本発明の実施形態によるプラズマディスプレイパネルを示す図。
【図４】本発明の実施形態によるプラズマディスプレイパネルの画像階調を具現する方法を示す図。
【図５】本発明の実施形態によるプラズマディスプレイパネルの駆動方法による駆動波形を示す図。
【図６】本発明の第１実施形態によるプラズマディスプレイパネルの電極構造を示す図。
【図７】本発明の第１実施形態によって電極幅が調節される時ジッタ特性の変化を示す図。
【図８】ａ及びｂは本発明の実施形態によるプラズマディスプレイパネルの隔壁構造を示す図。
【図９】本発明の第２実施形態によるプラズマディスプレイパネルの電極構造を示す図。
【図１０】本発明の第３実施形態によるプラズマディスプレイパネルの電極構造を示す図。
【図１１】本発明の実施形態によるプラズマディスプレイパネルで発生するアドレス放電の特性を示すのである。
【図１２】本発明の実施形態によるプラズマディスプレイパネルの電極構造の放電電圧特性と従来のプラズマディスプレイパネルの放電電圧特性を比べた図。
【図１３ａ】ａは従来の電極構造（Ｃｏｎｖｅｎｔｉｏｎａｌ ｅｌｅｃｔｒｏｄｅ）でサステイン電圧（Ａｐｐｌｉｅｄ ｖｏｌｔａｇｅ）による放電電流特性（Ｄｉｓｃｈａｒｇｅ ｃｕｒｒｅｎｔ）を示す図。
【図１３ｂ】ｂは本発明の電極構造でサステイン電圧（Ａｐｐｌｉｅｄ ｖｏｌｔａｇｅ）による放電電流特性（Ｄｉｓｃｈａｒｇｅ ｃｕｒｒｅｎｔ）を示すのである。
【図１４】本発明の第４実施形態によるプラズマディスプレイパネルの電極構造を示す図。
【図１５】本発明の第５実施形態によるプラズマディスプレイパネルの電極構造を示す図。
【図１６】本発明の第６実施形態によるプラズマディスプレイパネルの電極構造を示す図。
【図１７】本発明の第７実施形態によるプラズマディスプレイパネルの電極構造を示す図。
【図１８】本発明の第８実施形態によるプラズマディスプレイパネルの電極構造を示す図。
【図１９】本発明の第９実施形態によるプラズマディスプレイパネルの電極構造を示す図。
【図２０】本発明の第１０実施形態によるプラズマディスプレイパネルの電極構造を示す図。
【図１】
2007080810.tif 000003
【図２】
2007080810.tif 000004
【図３】
2007080810.tif 000005
【図４】
2007080810.tif 000006
【図５】
2007080810.tif 000007
【図６】
2007080810.tif 000008
【図７】
2007080810.tif 000009
【図８】
2007080810.tif 000010
【図９】
2007080810.tif 000011
【図１０】
2007080810.tif 000012
【図１１】
2007080810.tif 000013
【図１２】
2007080810.tif 000014
【図１３ａ】
2007080810.tif 000015
【図１３ｂ】
2007080810.tif 000016
【図１４】
2007080810.tif 000017
【図１５】
2007080810.tif 000018
【図１６】
2007080810.tif 000019
【図１７】
2007080810.tif 000020
【図１８】
2007080810.tif 000021
【図１９】
2007080810.tif 000022
【図２０】
2007080810.tif 000023